(57)【要約】【課題】本発明は、安価な構成で受信感度を測定できる無線端末の受信感度測定システムを提供することを目的とする。【解決手段】本発明の携帯無線端末の受信感度測定システムは、無線端末２００における端末制御手段２４０が試験装置１００から送信される感度測定電文を受信し、受信したデータ信号と端末記憶手段２５０に記憶されているデータ信号４３０とを端末比較手段２７０を用いて比較し、不一致ビット数を外部機器３００に送信することにより、試験装置１００には受信手段を設ける必要がないため構成が簡単で安価になる。また誤りビット数を外部機器３００に送信するため正確な受信感度の測定ができるようにしたものである。【選択図】図２
2010258960.tif 000002
【特許請求の範囲】
【請求項１】
試験装置と無線端末間で無線通信を行うことにより前記無線端末の受信感度を測定する受信感度測定システムにおいて、試験装置は感度測定電文を送信する装置無線送信手段と、前記装置無線送信手段を用いて前記感度測定電文の送信出力レベルを設定する装置制御手段とを有し、無線端末は前記感度測定電文を受信する端末無線受信手段と、前記感度測定電文の電文内容があらかじめ記憶されている端末記憶手段と、外部機器との通信を行う端末インターフェイス手段と、前記端末無線受信手段で受信した前記感度測定電文と前記端末記憶手段に記憶された前記感度測定電文の電文内容とを比較する端末比較手段と、前記各手段を司る端末制御手段とを有し、前記端末制御手段は前記端末インターフェイス手段を介して、前記端末比較手段で比較した結果を前記外部機器に送信することを特徴とする無線端末の受信感度測定システム。
【請求項２】
装置制御手段は装置無線送信手段を用いて送信出力レベルが異なる感度測定電文を連送することを特徴とする請求項１記載の無線端末の受信感度測定システム。
【請求項３】
装置制御手段は装置無線送信手段を用いて、感度測定電文の送信とは別に前記感度測定電文に関する情報を含んだ制御電文を送信することを特徴とする請求項１または２記載の無線端末の受信感度測定システム。
【請求項４】
感度測定電文には送信出力レベルに関する情報が含まれていることを特徴とする請求項１〜３のいずれか１項に記載の無線端末の受信感度測定システム。
【請求項５】
無線電文の受信電界強度を測定する端末受信電界強度測定手段と、無線電文を受信するか否かの受信判定閾値を記憶する端末記憶手段とを有し、端末制御手段は前記端末受信電界強度測定手段を用いて感度測定電文の受信電界強度レベルを測定し、前記測定したレベルを受信判定閾値として前記端末記憶手段に記憶することを特徴とする請求項１〜４のいずれか１項に記載の無線端末の受信感度測定システム。
【請求項６】
装置無線送信手段から送信する感度測定電文は複数の無線端末が受信できる同報送信であることを特徴とする請求項１〜５のいずれか１項に記載の無線端末の受信感度測定システム。
【請求項７】
端末インターフェイス手段はシリアル通信の方式であるＩ２Ｃ（Ｉｎｔｅｒ−Ｉｎｔｅｇｒａｔｅｄ  Ｃｉｒｃｕｉｔ）に準拠し、電源投入時に外部機器とシリアル通信を行い、感度電文を受信するための検査モードに移行し、前記検査モードで受信感度を測定することを特徴とする請求項１〜６のいずれか１項に記載の無線端末の受信感度測定システム。
【発明の詳細な説明】
【技術分野】
【０００１】
本発明は、試験装置を用いて無線端末の受信感度の測定を行う無線端末の受信感度測定システムに関する。
【背景技術】
【０００２】
従来、この種の無線端末の受信感度測定システムは、無線端末に高価な計測器を接続して受信感度を測定する方法や、試験装置からのテスト電文に対する無線電話端末からの応答電文の有無で受信感度の測定を行う方法がある（例えば、特許文献１参照）。
【０００３】
図６は、前記公報に記載された従来の無線端末の受信感度測定システムを示すものである。図６に示すように、試験装置１００と、無線端末２００とから構成され、試験装置１００はテスト電文を送信する装置無線送信手段１１０と、テスト電文の送信出力レベルを設定する装置送信出力レベル設定手段１２０と、無線端末２００からの応答電文を受信する装置無線受信手段１３０と、送信したテスト電文からの応答電文を判定する装置判定１４０と、前記各手段を制御する装置制御手段１５０とを有し、無線端末２００はテスト電文を受信する端末無線受信手段２１０と、端末無線受信手段２１０で受信した電文がテスト電文であるかを判定する端末判定手段２２０を、テスト電文に対する応答電文を返信する端末無線送信手段２３０と、前記各手段を制御する端末制御手段２４０とから構成される。
【０００４】
試験装置１００における装置制御手段１５０は装置送信出力レベル設定手段１２０を用いてテスト電文の送信出力レベルを設定し、装置無線送信手段１１０を用いて無線端末２００に対してテスト電文を送信する。無線端末２００における端末制御手段２４０は端末無線受信手段２１０を用いて受信した電文が端末判定手段２２０を用いてテスト電文であることを判定し、試験装置１００に対して端末送信手段２３０を用いて応答電文を返信する。試験装置１００は装置送信出力レベル設定手段１２０を用いて送信出力レベルを可変しながら上記のテスト電文を繰り返し送信し、無線端末２００からの返信を受信できない一つ前のテスト電文の送信出力レベルを無線端末２００の受信感度として測定する。
【先行技術文献】
【特許文献】
【０００５】
【特許文献１】特開平０８−２８８９１５号公報
【発明の概要】
【発明が解決しようとする課題】
【０００６】
しかしながら、前記従来の構成では、試験装置には無線端末からの電文を受信するために受信手段が必要であり、試験装置のコスト高に繋がる。また送信したテスト電文のデータに何ビットの誤りが発生していたのかがわからないため、正確に受信感度の測定ができない。さらに送受信を繰り返す必要があるため試験時間が長くなる。さらに電波環境により無線端末からの返信にエラーが発生した場合は間違った受信感度を測定する恐れがある、かつ試験手順も複雑になるという課題を有していた。
【０００７】
本発明は、前記従来の課題を解決するもので、試験装置は構成が簡単で安価になり、また正確な受信感度の測定ができる。さらに試験時間の短縮を図ることができ、かつ試験手順の容易化を図ることができる無線端末の受信感度測定システムを提供することを目的とする。
【課題を解決するための手段】
【０００８】
従来の課題を解決するために、本発明の無線端末の受信感度測定システムは、試験装置は感度測定電文を送信する装置無線送信手段と、前記装置無線送信手段を用いて前記感度測定電文の送信出力レベルを設定する装置制御手段とを有し、無線端末は前記感度測定電文を受信する端末無線受信手段と、前記感度測定電文の電文内容があらかじめ記憶されている端末記憶手段と、外部機器との通信を行う端末インターフェイス手段と、前記端末無線受信手段で受信した前記感度測定電文と前記端末記憶手段に記憶された前記感度測定電文の電文内容とを比較する端末比較手段と、前記各手段を司る端末制御手段とを有する。
【０００９】
これによって、前記端末制御手段は前記端末インターフェイス手段を介して前記端末比較手段で比較した結果を前記外部機器に送信することを特徴とする無線端末の受信感度測定システム。
【発明の効果】
【００１０】
本発明の無線端末の受信感度測定システムは、試験装置には受信手段を設ける必要がない、また誤りビット数を無線端末自体が算出して外部機器に送信するため、誤りビット数を測定するための専用の高価な計測器が不要となり、しかも受信回路は計測器の受信回路を使用せずに無線端末の受信回路を使用することとなり、実通信と同様の方法で受信感度を測定できるため、より正確に受信感度を測定することができる。さらに無線端末は送信する必要がないため、電波環境により無線端末からの返信にエラーが発生することがなく、間違った受信感度を測定することがない。かつ試験手順の容易化を図ることができる。
【図面の簡単な説明】
【００１１】
【図１】本発明の実施の形態１の無線端末の受信感度測定システムの利用環境図
【図２】本発明の実施の形態１の無線端末の受信感度測定システムの構成図
【図３】本発明の実施の形態１の無線電文のフレーム構成図
【図４】本発明の実施の形態１における無線端末の受信感度測定システムのフロー図
【図５】本発明の実施の形態１における無線端末の受信感度測定システムのシーケンス図
【図６】従来の無線端末の受信感度測定システムの構成図
【発明を実施するための形態】
【００１２】
第１の発明は、試験装置は感度測定電文を送信する装置無線送信手段と、前記装置無線送信手段を用いて前記感度測定電文の送信出力レベルを設定する装置制御手段とを有し、無線端末は前記感度測定電文を受信する端末無線受信手段と、前記感度測定電文の電文内容があらかじめ記憶されている端末記憶手段と、外部機器との通信を行う端末インターフェイス手段と、前記端末無線受信手段で受信した前記感度測定電文と前記端末記憶手段に記憶された前記感度測定電文の電文内容とを比較する端末比較手段と、前記各手段を司る端末制御手段とを有することにより、試験装置には受信手段を設ける必要がない、また誤りビット数を無線端末自体が算出し外部機器に送信するため、誤りビット数を測定するための専用の高価な計測器が不要であり、しかも実通信と同様の方法で受信感度を測定するためより正確に測定することができる。さらに無線端末は送信する必要がないため、電波環境により無線端末からの返信にエラーが発生することがなく、間違った受信感度を測定することがない。かつ試験手順の容易化を図ることができる。
【００１３】
第２の発明は、装置制御手段は装置無線送信手段を用いて送信出力レベルが異なる感度測定電文を連送することにより、さまざまの送信出力レベルに対する受信感度を短時間に測定できるため、試験時間の短縮を図ることができる。
【００１４】
第３の発明は、特に、第１の発明または第２の発明における装置制御手段は、装置無線
送信手段を用いて感度測定電文の送信とは別に前記感度測定電文に関する情報を含んだ制御電文を送信することにより、伝送速度や感度測定電文の電文フォーマットが異なる場合において、制御電文にて無線端末の受信条件を切り替えることができるため、さまざまな無線端末の受信感度を容易にしかも短時間で測定することができる。
【００１５】
第４の発明は、特に、第１〜第３のいずれかの１つの発明に、感度測定電文には送信出力レベルに関する情報が含まれていることにより、外部機器が試験装置の送信出力レベルに対する無線端末での誤りデータ数（ビット数）を容易に取得できるため、容易に受信感度を測定することができる。
【００１６】
第５の発明は、特に、第１〜第４のいずれかの１つの発明に、無線電文の受信電界強度を測定する端末受信電界強度測定手段と、無線電文を受信するかしないかを受信判定閾値を用いて判定する端末受信記憶手段とを有し、端末制御手段は前記端末受信電界強度測定手段を用いて感度測定電文の受信電界強度レベルを測定し、前記測定したレベルを受信判定閾値として前記端末受信記憶手段に設定することにより、受信判定閾値を受信感度測定と同時に測定できるため、さらなる試験時間の短縮を図ることができる。
【００１７】
第６の発明は、特に、第１〜第５のいずれかの１つの発明に、装置無線送信手段から送信する感度測定電文は複数の無線端末が受信できる同報電文であることにより、複数端末の無線端末の受信感度を一度に測定できるため、試験時間の短縮化を図ることができる。
【００１８】
第７の発明は、特に、第１〜第６のいずれかの１つの発明の端末インターフェイス手段は、２本の信号により複数の機器の間でのデータのやり取りを規定しているシリアル通信方式であるＩ２Ｃ（Ｉｎｔｅｒ−Ｉｎｔｅｇｒａｔｅｄ  Ｃｉｒｃｕｉｔ）に準拠することにより、無線端末に複数の外部機器を接続する場合でも、インターフェイス手段を複数備える必要がない。また無線端末に他の外部機器が既に接続されていても、無線端末から他の外部機器を外すことなく外部機器を接続することができるため、利便性の向上を図ることができる。さらに感度電文を受信するための特定モードである検査モードに移行して感度を測定するため、感度測定を容易にすばやく実施することができる。
【００１９】
以下、本発明の実施の形態について、図面を参照しながら説明する。なお、本実施の形態によって本発明が限定されるものではない。
【００２０】
（実施の形態１）
図１は本発明の第一の実施形態における無線端末の受信感度測定システムの利用環境の一例を示す図であり、感度測定電文を送信する試験装置１００、前記感度測定電文を受信する被試験端末である無線端末２００、無線端末２００からの受信感度情報の受信と試験装置１００の感度測定電文の送信制御を行う外部機器３００とから構成される。
【００２１】
試験装置１００および無線端末２００と外部機器３００間の接続は、有線（ＲＳ２３２Ｃ、ＵＳＢ、ＬＡＮ、ＧＰＩＢ）による接続が考えられる。また試験装置１００と無線端末２００間での無線通信方式としては、４００ＭＨｚ帯、８００ＭＨｚ，９００ＭＨｚ、２．４ＧＨｚ帯などの特定小電力無線などが考えられ、無線端末２００としては、小電力無線機器、携帯電話装置、ＰＤＡ（Ｐｅｒｓｏｎａｌ  Ｄｉｇｉｔａｌ  Ａｓｓｉｓｔａｎｔｓ）等の無線通信機能を有する無線端末が考えられる。
【００２２】
次に、試験装置１００および無線端末２００の構成の一例について説明する。図２は試験装置１００および無線端末２００の構成の一例を示す図である。
【００２３】
試験装置１００は、感度測定電文を送信する装置無線送信手段１１０、装置無線送信手
段１１０を用いて前記感度測定電文の送信出力レベルを設定する装置送信出力レベル設定手段１２０、外部機器３００との通信のインターフェイスである装置インターフェイス手段１６０、前記各手段を司る装置制御手段１５０とを有する。
【００２４】
無線端末２００は、前記感度測定電文を受信する端末無線受信手段２１０、前記感度測定電文の電文内容をあらかじめ記憶している端末記憶手段２５０、外部機器３００との通信を行う端末インターフェイス手段２６０、端末無線受信手段２１０で受信した前記感度測定電文と端末記憶手段２５０に記憶された前記感度測定電文の電文内容とを比較する端末比較手段２７０と、前記各手段を司る端末制御手段２４０とを有する。
【００２５】
次に、試験装置１００と無線端末２００間での無線通信に関する動作を説明する。図３における（ａ）は無線通信の際に用いる無線電文のフレーム構成の一例である。
【００２６】
図３（ａ）のフレーム４００は、ビット同期領域４１０、フレーム同期領域４２０、データ領域４３０を有して構成される。ビット同期領域４１０は、以降に続くフレーム同期領域４２０、データ領域４３０を受信するためのクロックを生成するための領域である。ここでは、ビット同期領域の信号をビット同期信号と称する。フレーム同期領域４２０は、データ領域４３０の先頭を識別するための領域である。ここでは、フレーム同期領域の信号をフレーム同期信号と称する。データ領域４３０は、無線端末２００の受信感度を測定するための実際のデータが含まれる領域である。ここでは、データ領域の信号をデータ信号と称する。
【００２７】
図３（ｂ）はフレーム４００におけるビット同期信号４１０、フレーム同期信号４２０、データ信号４３０の信号内容一覧４４０である。ここでフレーム同期信号４２０としては擬似ランダム信号である３１ビットＭ系列符号を採用しているが、一般的にコンピュータなど扱い易いように８の倍数にするために１ビット付加して３２ビットとしている。またデータ信号４３０は、一般的に無線通信の受信感度測定に使用される”１”／”０”の発生確率が１／２に等しく、９段のビットシフト回路で発生できる２の９乗の長さの疑似ランダムパターン（Ｐｓｅｕｄ  ｒａｎｄａｍ  ｐａｔｔｅｒｎ）であるＰＮ９信号にフレーム同期信号４２０と同様に１ビット付加して５１２ビットしている。なお、本実施例では、端末記憶手段２５０にはこのデータ信号があらかじめ記憶されているとして説明する。
【００２８】
無線端末２００が感度測定電文を受信すること受信感度を測定する場合の一例について、図４に示すフローチャートＳ１００を用いて説明する。
【００２９】
外部機器３００は無線端末２００に対して感度測定開始コマンドを送信する。
【００３０】
続いて、無線端末２００は端末制御手段２４０の制御により端末インターフェイス手段２６０を介して前記感度測定開始コマンドを受信する（ステップＳ１０１）。
【００３１】
続いて、端末制御手段２４０は前記感度測定開始コマンドの内容を解析し、解析した内容に基づき端末受信手段２１０に対して受信パラメータを設定する（ステップＳ１０３）。受信パラメータとしては、伝送速度、変調方式、受信デジタルフィルタ値などが考えられる。
【００３２】
続いて、端末制御手段２４０は、端末無線受信手段２１０を用いて図３で示す感度測定電文のビット同期信号を検出するまで受信状態を継続する（ステップ１０３）。
【００３３】
外部機器３００は試験装置１００に対して、感度測定電文の送信出力レベルと送信開始
とを指示するコマンド送信し、試験装置１００は装置制御手段１５０の制御により装置インターフェイス手段１６０を介してこのコマンドを受信し、コマンド内容を解析して装置送信出力レベル設定手段１２０を用いて、指示された送信出力レベルで装置無線送信手段１１０を介して、無線端末２００に対して感度測定電文を送信する。
【００３４】
続いて、端末制御手段２４０は、ビット同期信号の検出に続き図３に示すフレーム同期信号を検出する（ステップＳ１０４）。ここでビット同期信号およびフレーム同期信号を一定時間経過しても（ステップ１０５）検出できなかった場合は、端末インターフェイス手段２６０を介して外部機器３００に対して、エラー電文を送信する（ステップ１０６）。
【００３５】
続いて、端末制御手段２４０は、感度測定電文に含まれる図３に示すデータ信号を取得する。取得したデータ信号の内容と、あらかじめ端末記憶手段２５０に記憶されているデータ信号の内容を取得し、端末比較手段２７０を用いて不一致ビット数を算出する（ステップＳ１０７）。
【００３６】
続いて、端末制御手段２４０は、端末インターフェイス手段２６０を介して先の算出した不一致ビット数を外部機器３００へ送信する（ステップＳ１０８）。
【００３７】
続いて、端末制御手段２４０は、端末無線受信手段２１０を用いて無線電文の受信を終了する（ステップＳ１０９）。
【００３８】
無線端末１００から外部機器３００へ送信する電文フォーマットは、例えば２バイト：００（ｈ）〜ＦＦ（ｈ）で不一致ビット数と感度測定電文受信時のエラー状態を表現する方法が考えられる。例えば、ビット同期信号４１０を受信できないビット同期エラーおよびフレーム同期信号４２０を受信できないフレーム同期エラーの場合をＦＦ（ｈ）とし、ＰＮ９信号４３０の不一致ビット数が２５３ｂｉｔの場合を００（ｈ）〜ＦＤ（ｈ）とし、不一致ビット数が２５４ビット以上の場合はすべてＦＥ（ｈ）とする方法がある（ステップ１０６、ステップ１０８）。
【００３９】
ビット同期信号４１０の受信待ちのタイムアウト時間（ステップＳ１０５）としては、外部機器３００は無線端末２００へコマンドを送信後に、試験装置１００に対してコマンドを送信するため、この時の時間差を考慮して５秒程度とすることが考えられる。また、フレーム同期信号４２０の受信待ちのタイムアウト時間（ステップＳ１０５）としては、感度測定電文長＋フレーム同期信号長の時間分のタイムアウト時間とすることが考えられる。
【００４０】
なお、本実施例ではデータ信号４３０としてＰＮ９信号を用いたが、１５段もしくは２３段のビットシフト回路で発生できるＰＮ１５あるいはＰＮ２３を用いても同様に実施できる。
【００４１】
以上のように本実施の形態においては、無線端末２００における端末制御手段２４０が試験装置１００から送信される感度測定電文を受信し、受信したデータ信号と端末記憶手段２５０に記憶されているデータ信号４３０とを端末比較手段２７０を用いて比較し、不一致ビット数を外部機器３００に送信することにより、試験装置１００には受信手段を設ける必要がないため構成が簡単で安価になる。また誤りビット数を外部機器３００に送信するため正確な受信感度の測定ができる。さらに送受信を繰り返す必要がないため、試験時間の短縮を図ることでき、さらに無線端末２００が無線送信する必要がないため、電波環境により無線端末２００からの返信にエラーが発生することがなく、間違った受信感度を測定することがない。かつ試験手順の容易化を図ることができる。
【００４２】
また、本実施の形態において、感度測定電文を送信する動作として、試験装置１００における装置制御手段１５０が外部機器３００からのコマンドを受信し、装置送信出力レベル設定手段１２０で送信出力レベルを設定し、装置無線送信手段１１０を介して送信するとして説明したが、装置制御手段１５０は、装置送信出力レベル設定手段１２０を用いて異なる送信出力レベルに設定した複数の感度測定電文を自動的に連送することにより、さまざまの送信出力レベルに対する受信感度を短時間に測定できるため、試験時間の短縮を図ることができる。
【００４３】
また、本実施の形態において、無線端末２００における端末制御手段２４０があらかじめ決められた無線受信パラメータを端末無線受信手段２１０に設定するとして説明したが（ステップＳ１０２）、試験装置１００が感度測定電文を送信する前に、前記の無線受信パラメータを含んだ制御電文を送信するようにすることもできる。具体的には、制御電文の送信周波数や伝送速度はあらかじめ決めておき、データ信号４３０に制御電文であることを示す電文種別情報と先の無線受信パラメータの情報を挿入することが考えられる。前述のように感度測定電文の送信より前に制御電文を送信することにより、伝送速度や感度測定電文の電文フォーマットが異なる場合において、制御電文にて無線端末２００の感度測定モードを切り替えることができるため、さまざまな無線端末の受信感度を容易にしかも短時間で測定することができる。
【００４４】
また、本実施の形態において、データ信号４３０は信号内容一覧４４０に示すように、５１２ビット（ＰＮ９：５１１ビット＋０）として説明したが、例えばデータ信号に１６ビットを加え、この１６ビットが試験装置１００における装置制御手段１５０が装置送信出力レベル設定手段１２０を用いて設定した送信出力レベルの情報を表すようにすることにより、感度測定電文には送信出力レベルに関する情報が含まれ、外部機器３００にて試験装置１００の送信出力レベルに対する無線端末２００での誤りデータ数（不一致ビット数）を容易に取得できるため、正確に受信感度の測定することができる。また、試験装置１００から送信出力レベルが異なる複数の感度測定電文を送信したが、一部の感度測定電文が電波環境等により欠落したとしても、感度測定電文中に信出力レベルに関する情報が含まれているため、無線端末２００で受信感度を容易に判別することができる。
【００４５】
また、本実施の形態において、無線電文の受信電界強度を測定する端末受信電界強度測定手段２４０、感度測定電文のデータ信号の記憶の他に無線電文を受信するか否かの受信判定閾値を記憶する端末記憶手段２５０、受信した感度測定電文の比較の他に無線電文を受信するか否かを判定する端末判定手段２８０とを備えるとすることにより、端末制御手段２４０は端末受信電界強度測定手段２８０を用いて感度測定電文の受信電界強度レベルを測定し、前記測定したレベルを受信判定閾値として端末記憶手段２５０に設定し、無線電文受信時は、受信した電文の受信電界強度と設定された受信判定閾値とを端末比較手段２７０を用いて比較し、無線電文を受信する否かを判定する。このように受信感度測定と同時に受信判定閾値をも設定できるため、さらなる試験時間の短縮を図ることができる。
【００４６】
また、本実施の形態において、感度測定電文中の電文フォーマットには送信相手の無線端末を指定するような情報を含めない、つまり同報電文を送信することにより、試験装置３００が送信する感度測定電文を複数の無線端末が同時に受信できる構成にすることができ、複数台の無線端末の受信感度を一度に測定できるため、試験時間の短縮を図ることできる。
【００４７】
また、本実施の形態において、端末インターフェイス手段２６０は、２本の信号（データ信号とクロック信号）により複数の機器の間でのデータのやり取りを規定しているシリアル通信方式であるＩ２Ｃ（Ｉｎｔｅｒ−Ｉｎｔｅｇｒａｔｅｄ  Ｃｉｒｃｕｉｔ）に準
拠し、無線端末２００は電源投入時に外部機器３００とシリアル通信を行い、感度測定電文を受信するための検査モードに移行し、前記検査モードで受信感度を測定するようにすることもできる。一例を図５の通信シーケンス図を用いて説明する。
【００４８】
無線端末２００における電源が投入されると（ステップ２０１）、端末制御手段２４０は外部機器３００が接続されているか否かを確認するため、Ｉ２Ｃに準拠した端末インターフェイス手段２６０を用いて、外部機器３００に対して外部機器接続確認コマンドを送信する（ステップ２０２）。そして外部機器３００から外部機器接続応答コマンドを受信する（ステップ２０３）と感度を測定するための検査モードへ移行するとともに、外部機器３００に対して検査モードへ移行したことを報知する検査モード移行報知コマンドを送信する（ステップ２０４）。そして先の説明と同様に、端末制御手段２４０は端末インターフェイス手段２６０を介して不一致ビット数報知コマンドで算出した不一致ビット数を外部機器３００へ送信する（ステップＳ２０６）。
【００４９】
また先の説明では外部機器３００が一台の場合について説明したが、複数台の外部機器が接続されている場合、端末インターフェイス手段２６０は通信相手アドレスを指定して通信を行うＩ２Ｃに準拠したシリアル通信のため、無線端末２００は電源投入時には必ずアドレス０１宛てにコマンド送信し、応答コマンドを受信した場合のみ検査モードに移行し、以降応答コマンドを受信したアドレスの外部機器と通信するとすることにより、複数台の外部器機が接続されている場合でも同様に実施することができる。
【００５０】
以上のように構成することで、無線端末２００に複数の外部機器３００を接続する場合でも、インターフェイス手段２６０を複数備える必要がない。また無線端末２００に他の外部機器３００が既に接続されていても、無線端末２００から他の外部機器３００を外すことなく外部機器３００を接続することができるため、利便性の向上を図ることができる。さらに感度電文を受信するための特定モードである検査モードに移行して感度を測定するため、感度測定を容易にすばやく実施することができる。
【産業上の利用可能性】
【００５１】
以上のように、本発明にかかる無線端末の受信感度測定システムは、試験装置には受信手段を設ける必要がない、また誤りビット数を無線端末自体が算出し外部機器に送信するため、誤りビット数を測定するための専用の高価な計測器が不要であり、しかも実通信と同様の方法で受信感度を測定するため正確に測定することが可能となるので、無線端末の出荷時の検査や開発時の無線性能評価などの用途に適用できる。
【符号の説明】
【００５２】
１００  試験装置
２００  無線端末
３００  外部機器
１１０  装置無線送信手段
１２０  装置送信出力レベル設定手段
１３０  装置無線受信手段
１４０  装置判定手段
１５０  装置制御手段
１６０  装置インターフェイス手段
２１０  端末無線受信手段
２２０  端末判定手段
２３０  端末無線送信手段
２４０  端末制御手段
２５０  端末記憶手段
２６０  端末インターフェイス手段
２７０  端末比較手段
２８０  端末受信電界強度測定手段
【図１】
2010258960.tif 000003
【図２】
2010258960.tif 000004
【図３】
2010258960.tif 000005
【図４】
2010258960.tif 000006
【図５】
2010258960.tif 000007
【図６】
2010258960.tif 000008